(57)【特許請求の範囲】
【請求項１】
リヤアクスルケース（７）を介して後輪（８）を装設させた走行車（１）と、その後部に植付部（１５）を連結した乗用田植機において、肥料を入れるタンク（４６）と、該タンク（４６）の肥料を送出させる繰出ケース（４７）と、前記ケース（４７）の肥料送出部に送風を供給する送風ファン（５０）と、送風パイプを兼ねる施肥本体フレーム（５１）を備える施肥機（３６）を、走行車（１）の車体カバー（１２）のうち後カバー（４５）を取外して該部に設け、植付部（１５）と施肥機（３６）の間に肥料送出パイプ（４９）を連結させると共に、前記リヤアクスルケース（７）を設ける車体フレーム（３）後部上方に施肥機（３６）の施肥本体フレーム（５１）の持上げ位置を保持自在な上昇部材（５７）を設け、施肥機（３６）の施肥本体フレーム（５１）を持上げるときに作業者が握る取手（６１）を施肥本体フレーム（５１）に固定させたことにより、低い位置に施肥機（３６）を支持させて施肥作業を行い、かつ上昇位置に施肥機（３６）を支持させて施肥機（３６）の下側の掃除または残留肥料の取出し等の作業を行うことを特徴とする乗用田植機。
【発明の詳細な説明】
【０００１】
【産業上の利用分野】
本発明は例えば苗載台及び植付爪を備えて連続的に苗植作業を行う乗用田植機に関する。
【０００２】
【従来の技術】
従来、実開平３−１８７１４号公報、または実開昭５７−１１９２０号公報、または実開昭６１−１６０６１４号公報に示す如く、走行車にリンク機構を介して植付部を昇降自在に装設させる技術があった。
【０００３】
【発明が解決しようとする課題】
前記従来技術は、走行車の車体カバー上側に施肥機を設ける構造では、施肥機を取付けるフレームを車体カバーに貫通させたり、車体カバー自体の強度を向上させる必要があり、施肥機支持構造の簡略化を容易に行い得ないと共に、車体カバー内部に施肥機を取付ける構造では、施肥機の多条大型化または走行車構造の簡略化などを容易に行い得ない等の問題があった。また、走行車の所定位置に施肥機を固定させる構造では、施肥機または周辺の保守修理を行うとき、施肥機を取外す分解作業を行う必要があり、取扱い操作性の向上などを容易に図り得ない等の問題があった。
【０００４】
【課題を解決するための手段】
然るに、本発明は、リヤアクスルケース（７）を介して後輪（８）を装設させた走行車（１）と、その後部に植付部（１５）を連結した乗用田植機において、肥料を入れるタンク（４６）と、該タンク（４６）の肥料を送出させる繰出ケース（４７）と、前記ケース（４７）の肥料送出部に送風を供給する送風ファン（５０）と、送風パイプを兼ねる施肥本体フレーム（５１）を備える施肥機（３６）を、走行車（１）の車体カバー（１２）のうち後カバー（４５）を取外して該部に設け、植付部（１５）と施肥機（３６）の間に肥料送出パイプ（４９）を連結させると共に、前記リヤアクスルケース（７）を設ける車体フレーム（３）後部上方に施肥機（３６）の施肥本体フレーム（５１）の持上げ位置を保持自在な上昇部材（５７）を設け、施肥機（３６）の施肥本体フレーム（５１）を持上げるときに作業者が握る取手（６１）を施肥本体フレーム（５１）に固定させたことにより、低い位置に施肥機（３６）を支持させて施肥作業を行い、かつ上昇位置に施肥機（３６）を支持させて施肥機（３６）の下側の掃除または残留肥料の取出し等の作業を行うもので、前記施肥機を持上げて行う掃除または残留肥料取出しなどの作業性向上を容易に行い得るものである。
【０００５】
【実施例】
以下、本発明の実施例を図面に基づいて詳述する。図１はリヤアクスルケース部の側面図、図２は乗用田植機の側面図、図３は同平面図を示し、図中（１）は作業者が搭乗する走行車であり、エンジン（２）を車体フレーム（３）前部上方に搭載させ、ギヤ変速ケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ギヤ変速ケース（４）等を覆い、前記車体カバー（１２）上部に運転席（１３）を取付け、その運転席（１３）の前方で前記ボンネット（９）後部に操向ハンドル（１４）を設ける。
【０００６】
また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含む三点リンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００７】
また、図中（２９）は主変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥機である。
【０００８】
さらに、図４、図５、図６に示す如く、左右一対の四角筒形の前記車体フレーム（３）（３）前部にエンジン（２）を搭載し、前車軸（３７）（３７）を介して左右前輪（６）（６）を軸支させるフロントアクスルケース（５）をエンジン（２）後方の車体フレーム（３）（３）下面に取付け、フロントアクスルケース（５）後方の左右車体フレーム（３）（３）間に無段ベルト変速ケース（３８）を設け、無段変速ケース（３８）後方の左右車体フレーム（３）（３）間にギヤ変速ケース（４）を設けると共に、後車軸（３９）（３９）を介して左右後輪（８）（８）を軸支させるリヤアクスルケース（７）を左右車体フレーム（３）（３）後端下面に固設させ、エンジン（２）出力を各変速ケース（３８）（４）を介して各アクスルケース（５）（７）に走行駆動力として伝達させ、前後輪（６）（８）を駆動するように構成している。
【０００９】
また、正面視門形のリフトフレーム（４０）両端を左右車体フレーム（３）（３）後端上面に溶接固定させ、車体フレーム（３）中間のブレーキペダル受軸（４１）と、車体フレーム（３）上に立設させるリフトフレーム（４０）中間の間に、前低後高に傾斜させるサブフレーム（４２）（４２）を架設させると共に、サブフレーム（４２）（４２）間に昇降シリンダ（２８）を取付け、またトップリンク（２５）及びロワーリンク（２６）で形成するリンク機構（２７）を各フレーム（３）（４０）（４２）を介して取付け、昇降シリンダ（２８）によってリンク機構（２７）を揺動させて植付部（１５）を昇降させるように構成している。
【００１０】
さらに、前ステップ（４３）及び後ステップ（４４）及び後カバー（４５）によって前記車体カバー（１２）を３分割に分離自在に形成し、後カバー（４５）を取外して該部に前記施肥機（３６）を装設させるもので、肥料を入れるタンク（４６）、肥料を定量供給する繰出ケース（４７）、フロート（３４）（３５）の側条施肥シュート（４８）にフレキシブル形送出パイプ（４９）を介して肥料を排出させる送風ターボファン（５０）と、円筒形の施肥本体フレーム（５１）とを、前記施肥機（３６）に備えると共に、開閉自在な蓋（５２）によって施肥本体フレーム（５１）右側開口を閉塞し、施肥本体フレーム（５１）左側端にターボファン（５０）を取付け、６条分の６組の繰出ケース（４７）…と送出パイプ（４９）…を施肥本体フレーム（５１）に配設させている。
【００１１】
さらに、図１、図６、図７、図８に示す如く、前記車体フレーム（３）後端部でリンクフレーム（４０）上側にベースフレーム（５３）を取付け、左右方向に横架させる前記ベースフレーム（５３）を介して施肥機（３６）を設けると共に、左右一対のサイドステー（５４）（５４）と前記ベースフレーム（５３）の背面視門形フレーム構造を介して施肥機（３６）を設けるもので、リンクフレーム（４０）上側の左右サブフレーム（４２）（４２）後端上面にベースフレーム（５３）中間下面をボルト止め固定させ、ベースフレーム（５３）左右側端に左右サイドステー（５４）（５４）上端をボルト止め固定させ、左右車体フレーム（３）（３）後端のブラケット（５５）（５５）に左右サイドステー（５４）（５４）下端をボルト止め固定させている。
【００１２】
また、略水平に横架させる平面視Ｈ形のベースフレーム（５３）両側に昇降レール（５６）…を立設させ、前後一組左右二対の４本の該昇降レール（５６）（５６）（５６）（５６）を介して施肥機（３６）を昇降自在に取付けると共に、弾性上昇部材である左右一対の２本のガススプリング（５７）（５７）と施肥本体フレーム（５１）による門形フレーム構造によって昇降自在に施肥機（３６）を取付け、車体フレーム（３）後端部に配置させるリヤアクスルケース（７）により施肥機（３６）重量を支持させるもので、図８にも示す如く、左右昇降レール（５６）（５６）に対向させる軸受板（５８）（５８）を前記施肥本体フレーム（５１）に溶接固定させ、前記レール（５６）に転動自在に嵌込むベアリングローラ（５９）…を軸受板（５８）に回転自在に軸支させ、前後２本のレール（５６）（５６）を左右対称に２組設け、１本のレール（５６）に対して上下２個のローラ（５９）（５９）を取付け、施肥本体フレーム（５１）を４本のレール（５６）と８個のローラ（５９）…によってベースフレーム（５３）に昇降自在に支持させている。
【００１３】
また、前記ガススプリング（５７）の下端を前記ブラケット（５５）に連結させ、前記軸受板（５８）にガススプリング（５７）上端を連結させ、前記レール（５６）とガススプリング（５７）を略平行に設けると共に、施肥機（３６）の前後幅方向の重心位置にガススプリング（５７）を連結させるもので、施肥機（３６）の重量と略等しいかまたは若干小さい伸張力をガススプリング（５７）が有するように構成している。このように、走行車（１）の後部にリヤアクスルケース（７）を介して後輪（８）を装設させる乗用田植機において、左右一対の弾性上昇部材であるガススプリング（５７）（５７）を介して前記リヤアクスルケース（７）上に施肥機（３６）の施肥本体フレーム（５１）を取付けると共に、走行車（１）に昇降自在に設ける施肥機（３６）の略重心位置に弾性上昇部材であるガススプリング（５７）を連結させるもので、前記リヤアクスルケース（７）の利用によって施肥機（３６）の支持を安定させ、前記ガススプリング（５７）の支持によって作業者による施肥機（３６）持上げ操作力を軽減させ、施肥機（３６）を持上げて行う掃除または残留肥料取出しなどの作業性を向上させると共に、前記ガススプリング（５７）の上昇力による施肥機（３６）の前後または左右の傾きを防ぎ、施肥機（３６）の昇降動作がスムーズになり、施肥機（３６）の昇降案内構造を昇降レール（５６）…などによって簡略で軽量コンパクトに構成している。なお、図７のように、前記ガススプリング（５７）と略同じ構造で、前方側に補助ガススプリング（６０）を設け、左右４本のガススプリング（５７）（５７）（６０）（６０）によって施肥機（３６）を持上げてもよい。
【００１４】
さらに、図９、図１０、図１１、図１２に示す如く、施肥機（３６）を持上げるときに作業者が握る左右一対の取手（６１）（６１）を前記施肥本体フレーム（５１）に溶接固定させ、前記取手（６１）に支軸（６２）を介してロックアーム（６３）を回転自在に軸支させると共に、前記昇降レール（５６）の補強リブ（６４）に上下係合孔（６５）（６６）を形成させ、各係合孔（６５）（６６）にロックアーム（６３）を係入させて施肥機（３６）を上昇位置または下降位置で固定支持させるもので、ロックアーム（６３）に設ける解除レバー（６７）を前記取手（６１）の下側に延出させ、作業者が取手（６１）を握り乍ら解除レバー（６７）を操作し、ロックアーム（６３）を係合孔（６５）（６６）から離脱させることができるように構成している。
【００１５】
また、前記施肥本体フレーム（５１）にケースブラケット（６８）を溶接固定させ、該ケースブラケット（６８）に前記繰出ケース（４７）をボルト止め固定させるもので、１ユニットとして構成する２条分の繰出ケース（４７）（４７）を左右の昇降レール（５６）（５６）間に配設させ、昇降レール（５６）（５６）の機外側に２条分の繰出ケース（４７）（４７）を夫々配設させ、２条１組として３ユニットの繰出ケース（４７）…を左右に並設させている。
【００１６】
さらに、図１１、図１２、図１３、図１４、図１５に示す如く、前記繰出ケース（４７）の上面前側の取入口（６９）に前記タンク（４６）下部出口を嵌着させると共に、前記繰出ケース（４７）前面下側に取出口（７０）を形成し、着脱自在なキャップ（７１）によって取出口（７０）を閉塞している。前記施肥本体フレーム（５１）に溶接固定させるシュート（７２）によって取出口（７０）外側を囲み、キャップ（７１）を取外して取出口（７０）を開放し、タンク（４６）内部の肥料（Ａ）をシュート（７２）に流下させるもので、このときに施肥機（３６）を昇降レール（５６）の上昇位置に支持させ、シュート（７２）とベースフレーム（５３）の間隔を拡大させ、肥料を入れる容器を前記シュート（７２）下方に容易に差し入れることができ、残留肥料の取出しを容易に行えるように構成している。
【００１７】
また、前記繰出ケース（４７）下面に閉塞レバー（７３）及びバネ（７４）を介して底蓋（７５）を着脱自在に固定させると共に、硬質合成樹脂製の前記底蓋（７５）下面に出口パイプ（７６）を一体形成するもので、施肥本体ケース（５１）に前端部を嵌着させる軟質合成樹脂製の接合パイプ（７７）を備え、該パイプ（７７）後端に前記出口パイプ（７６）前端を着脱自在に嵌着させると共に、前記出口パイプ（７６）後端に前記送出パイプ（４９）を嵌着させ、前記ターボファン（５０）の送風を施肥本体フレーム（５１）中空部から各パイプ（７７）（７６）（４９）に吹出させ、底蓋（７５）の出口（７８）から出口パイプ（７６）中間に落下する肥料（Ａ）を送出パイプ（４９）に移動させるように構成している。前記出口パイプ（７６）の入口側の内径を小さくして風速加速部（７９）を形成し、出口（７８）での送風による肥料（Ａ）吸引力及び搬送力が大きくなるように構成している。
【００１８】
また、取入口（８０）及び吹出口（８１）を有する入口板（８２）と、同一円周上に略四角形の複数の繰出口（８３）…を有する繰出板（８４）と、排出口（８５）を有する出口板（８６）を備え、略円形平板製の前記各板（８２）（８４）（８６）を繰出ケース（４７）と底蓋（７５）の間に多層状に配設させると共に、繰出ケース（４７）に繰出軸（８７）を略垂直に回転自在に軸支させ、各板（８２）（８４）（８６）の中央部に繰出軸（８７）下端側を貫通させ、繰出軸（８７）下端にゴム輪（８８）を着脱自在に係止させ、各板（８２）（８４）（８６）を下方に抜出し自在に繰出軸（８７）に支持させ、かつバネ（７４）によって各板（８２）（８４）（８６）を弾圧させるもので、入口板（８２）と出口板（８６）を繰出ケース（４７）に係止させ、各板（８２）（８６）に対して繰出軸（８７）を遊転させると共に、繰出板（８４）を繰出軸（８７）に係合軸支させ、繰出軸（８７）によって繰出板（８４）を強制的に回転させ、取入口（８０）から繰出口（８３）に入った肥料（Ａ）を排出口（８５）に移動させて出口（７８）方向に落下させるように構成している。
【００１９】
また、前記取入口（８０）端部で繰出口（８３）上面の余分な肥料（Ａ）を取除くブラシ（８９）を備え、高さ調節する撮（９０）を介して前記ブラシ（８９）を繰出ケース（４７）に高さ調節自在に取付け、繰出板（８４）上面に対するブラシ（８９）下端の高さ調節を繰出ケース（４７）外部から行い、繰出口（８３）の肥料（Ａ）送出量を調節するように構成している。
【００２０】
また、前記入口板（８２）の吹出口（８１）に対向させる圧風取入口（９１）を繰出ケース（４７）に形成し、前記施肥本体ケース（５１）の中空部と前記圧風取入口（９１）を分流パイプ（９２）によって連通させ、前記パイプ（９２）及び取入口（９１）を介してターボファン（５０）からの送風を吹出口（８１）に供給し、排出口（８５）位置に移動した繰出口（８３）に吹出口（８１）から送風し、該送風によって繰出口（８３）の肥料（Ａ）を下方に強制的に落下させ、粒形の肥料（Ａ）またはこの粉が繰出口（８３）内に残るのを防ぐように構成している。
【００２１】
さらに、図４、図５、図１６に示す如く、前記エンジン（２）出力を植付部（１５）に伝達させるＰＴＯ軸（９３）をギヤ変速ケース（４）から後方に延出させると共に、前記リフトフレーム（４０）左側に軸受筒（９４）を溶接固定させ、軸受筒（９４）の施肥入力軸（９５）前端部を前記ＰＴＯ軸（９３）中間にチェン（９６）を介して連動連結させる。前記施肥入力軸（９５）後端部にクランク板（９７）を固定させる。また、前記軸受板（５８）及びケースブラケット（６８）の各後端側を一体固定させる四角パイプ形後面フレーム（９８）を備え、施肥本体フレーム（５１）と略平行に後面フレーム（９８）を横架させると共に、後面フレーム（９８）にブラケット（９９）を介して軸受（１００）を固定させ、軸受（１００）に支点軸（１０１）を介して繰出量調節レバー（１０２）を回転自在に軸支させる。そして、結合レバー（１０３）及び係合板（１０４）（１０５）を介して切離し自在に連結させる入力及び出力ロッド（１０６）（１０７）を備え、前記クランク板（９７）と繰出量調節レバー（１０２）の一端側とを前記ロッド（１０６）（１０７）によって連結させる。
【００２２】
また、前記後面フレーム（９８）に軸受板（１０８）を介して繰出駆動軸（１０９）を回転自在に軸支させ、該駆動軸（１０９）に揺動アーム（１１０）を固定させ、前記繰出量調節レバー（１０２）に長さ調節自在な伸縮ロッド（１１１）一端側を連結させ、かつ前記揺動アーム（１１０）に複数の軸孔（１１２）…を介して支点間距離調節自在に前記伸縮ロッド（１１１）の他端側を連結させると共に、前記支点軸（１０１）に対する出力ロッド（１０７）と伸縮ロッドの夫々の連結距離の比をネジ（１１３）の回転によって変更させる回転レバー（１１４）を繰出量調節レバー（１０２）に設けるもので、前記の複数の軸孔（１１２）…の選択により伸縮ロッド（１１１）を連結する揺動アーム（１１０）の長さを変化させ、該アーム（１１０）の揺動ストロークを変更させて肥料繰出量の多段調節を行うと共に、前記回転レバー（１１４）操作により支点軸（１０１）に対して繰出量調節レバー（１０２）をネジ（１１３）軸芯方向に摺動させ、支点軸（１０１）に対するレバー（１０２）とロッド（１０７）の連結点の長さと、支点軸（１０１）に対するレバー（１０２）とロッド（１１１）の連結点の長さの比を変化させ、伸縮ロッド（１１１）の往復ストロークを無段階に変更させて肥料繰出量の無段調節を行うように構成している。
【００２３】
さらに、図１４に示す如く、前記後面フレーム（９８）に軸受（１１５）をボルト止め固定させ、連れ回り防止一方向クラッチ（１１５ａ）を介して前記軸受（１１５）にクラッチ軸（１１６）を軸支させ、該クラッチ軸（１１６）に一方向クラッチ（１１７）を介して入力リンク（１１８）を設けると共に、前記繰出駆動軸（１０９）に揺動リンク（１１９）を固定させ、該リンク（１１９）を前記入力リンク（１１８）に連係バー（１２０）を介して連結させ、入力リンク（１１８）を揺動させてクラッチ軸（１１６）を一方向に間欠的に回転させ、また前記入力リンク（１１８）が戻る一方向クラッチ（１１７）空転動作によってクラッチ軸（１１６）が逆転するのを、前記連れ回り防止一方向クラッチ（１１５ａ）と軸受（１１５）のブレーキ作用によって阻止するように構成している。
【００２４】
また、前記繰出ケース（４７）にクラッチケース（１２１）を固定させると共に、前記繰出軸（８７）上端側にベベルギヤ（１２２）（１２３）を介して入力軸（１２４）を常時連結させるもので、入力軸（１２４）を前記クラッチ軸（１１６）に継断自在に連結させる条止めクラッチ（１２５）を備え、該クラッチ（１２５）を前記クラッチケース（１２１）に内設させると共に、前記条止めクラッチ（１２５）を継断操作するクラッチレバー（１２６）とクラッチアーム（１２７）を前記クラッチケース（１２１）の前後に振分け配設させ、前記植付部（１５）の苗載台（１６）上側背面部に設ける植付け条止めレバー（１２８）に、後面フレーム（９８）のアウタ受（１２９）により張設させるワイヤ（１３０）を介して、前記クラッチアーム（１２７）を連結させる。そして、前記植付け条止めレバー（１２８）操作によって６条植え用の各植付爪（１７）…のいずれかを停止させたとき、停止させた植付爪（１７）に対応する条止めクラッチ（１２５）を切断動作させて施肥動作を中止させ、植付爪（１７）によって苗を植付ける条にだけ施肥を行うもので、例えば左側と中央の４条の苗植付けを行うとき、左側と中央の４条の繰出ケース（４７）…から施肥を行うと共に、作業者によってクラッチレバー（１２６）を操作して条止めクラッチ（１２５）を切断させることにより、６条の繰出ケース（４７）…のいずれかまたは全部を任意に選択して、苗植付けとは関係なく、施肥を中止させることができるように構成している。
【００２５】
上記から明らかなように、施肥機（３６）を走行車（１）に取付ける場合、後カバー（４５）を取外し、平面視Ｈ形のベースフレーム（５３）中央部をサブフレーム（４２）後端上面にボルト止め固定させ、サブフレーム（４２）両側と下方の左右ブラケット（５５）（５５）間に左右サイドステー（５４）（５４）をボルト止め固定させ、車体フレーム（３）後端でリヤアクスルケース（７）及び後車軸（３９）の略直上にリンクフレーム（４０）を介してベースフレーム（５３）を固定させる。そして、ベースフレーム（５３）上の昇降レール（５６）…に上端開口部からベアリングローラ（５９）…を嵌入させ、各レール（５６）…及びローラ（５９）…を介して施肥本体フレーム（５１）をベースフレーム（５３）に昇降自在に支持させると共に、施肥本体フレーム（５１）の左右一対の軸受板（５８）（５８）と下方の左右ブラケット（５５）（５５）間に左右ガススプリング（５７）（５７）をボルト止め固定させ、ガススプリング（５７）によって施肥機（３６）を支持させる。次いで、フロート（３４）（３５）の側条施肥シュート（４８）…と繰出ケース（４７）…の間に送出パイプ（４９）…を連結させるもので、ターボファン（５０）の送風により、繰出ケースに取出されたタンク（４６）の肥料（Ａ）が送出パイプ（４９）から側条施肥シュート（４８）に送出され、植付爪（１７）による苗の植付け条に隣接させて肥料（Ａ）を埋込む側条施肥が行われる。
【００２６】
上記のように、リンクフレーム（４０）を利用して施肥機（３６）を取付けることにより、ベースフレーム（５３）を軽量コンパクトに形成できると共に、施肥機（３６）荷重を車体フレーム（３）後端で支えることにより、施肥機（３６）を後車軸（３９）上で安定良く支持できる。また、施肥本体フレーム（５１）とガススプリング（５７）を介して施肥機（３６）重量をリヤアクスルケース（７）で受けることにより、走行車（１）側の強度的に安定した個所で施肥機（３６）を支持できると共に、走行車（１）側で発生する振動をガススプリング（５７）で吸収させることができ、このガススプリング（５７）のショックアブソーバ効果により、肥料繰出し量が安定し易く、かつ施肥機（３６）本体の耐久性を向上させることができる。
【００２７】
さらに、昇降レール（５６）の下降位置に施肥機（３６）を支持させることにより、車体カバー（１２）上面の低い位置に施肥機（３６）を支持して施肥作業を行うことができる。一方、昇降レール（５６）の上昇位置に施肥機（３６）を支持させることにより、タンク（４６）に残留している肥料（Ａ）を受取るための容器をシュート（７２）下方に容易に差し入れることができ、施肥本体フレーム（５１）に対してタンク（４６）を接近させて施肥機（３６）の上下幅のコンパクト化並びに低重心化を容易に行えると共に、閉塞レバー（７３）のロック解除操作によって底蓋（７５）を下方に取外し、ゴム輪（８８）を外して入口板（８２）及び繰出板（８４）及び出口板（８６）を繰出ケース（４７）から下方に取出し、各板（８２）（８４）（８６）の掃除を行える。
【００２８】
さらに、前記結合レバー（１０３）のロック解除操作によって各係合板（１０４）（１０５）が分離して入力ロッド（１０６）と出力ロッド（１０７）が切離され、走行車（１）側と施肥機（３６）の連結が工具を用いずに解除され、昇降レール（５６）の案内により施肥機（３６）を上昇させることができる。また、前記軸孔（１１２）…による揺動アーム（１１０）と伸縮ロッド（１１１）の連結、並びに支点軸（１０１）に対する各ロッド（１０７）（１１１）連結点の距離の比を変更自在な繰出量調節レバー（１０２）調節により、施肥入力軸（９５）の回転数を一定に保った状態で繰出軸（８７）の回転数を多段階にまたは無段階的に変化させ、繰出板（８４）による肥料（Ａ）繰出し量調節を多段階にまたは無段階に行える。しかも、植付部（１５）の条止めレバー（１２８）操作によって植付部（１５）の植付条数を変化させるだけで、停止した植付爪（１７）に対向する繰出ケース（４７）の肥料繰出しをクラッチアーム（１２７）を介して自動的に中止させることができ、肥料の無駄使いを防げると共に、６条分の繰出ケース（４７）…に対応させて夫々設けたクラッチレバー（１２６）…を作業者によって任意に入切操作し、６条全体または一部の繰出ケース（４７）…による肥料（Ａ）繰出しを手動操作によって中止させることができる。
【００２９】
さらに、図１７に示す如く、タンク（４６）内部の肥料をシュート（７２）に流出させる前方の取出口（７０）方向に、上昇位置で施肥機（３６）を傾斜支持すべく、昇降レール（５６）上端側を前方に彎曲させるもので、昇降レール（５６）の案内によってベースフレーム（５３）上方に施肥機（３６）を上昇させたとき、施肥機（３６）が前方に傾き、前側の取出口（７０）からシュート（７２）を介して下方の受取り容器（１３１）にタンク（４６）及び繰出ケース（４７）の内部の肥料が流出することにより、施肥機（３６）内部の肥料の排出が確実に行え、内部に肥料が残るのを防ぎ、翌日の作業で肥料詰りが発生する不具合をなくし、また吸水性を有する肥料によるさびまたは汚れの発生を防げると共に、施肥機（３６）内部に残った余分な肥料を、施肥機（３６）動作によって繰出して捨てる不具合もなくし、肥料を有効に使用して公害を低減させることができる。
【００３０】
【発明の効果】
以上実施例から明らかなように本発明は、リヤアクスルケース（７）を介して後輪（８）を装設させた走行車（１）と、その後部に植付部（１５）を連結した乗用田植機において、肥料を入れるタンク（４６）と、該タンク（４６）の肥料を送出させる繰出ケース（４７）と、前記ケース（４７）の肥料送出部に送風を供給する送風ファン（５０）と、送風パイプを兼ねる施肥本体フレーム（５１）を備える施肥機（３６）を、走行車（１）の車体カバー（１２）のうち後カバー（４５）を取外して該部に設け、植付部（１５）と施肥機（３６）の間に肥料送出パイプ（４９）を連結させると共に、前記リヤアクスルケース（７）を設ける車体フレーム（３）後部上方に施肥機（３６）の施肥本体フレーム（５１）の持上げ位置を保持自在な上昇部材（５７）を設け、施肥機（３６）の施肥本体フレーム（５１）を持上げるときに作業者が握る取手（６１）を施肥本体フレーム（５１）に固定させたことにより、低い位置に施肥機（３６）を支持させて施肥作業を行い、かつ上昇位置に施肥機（３６）を支持させて施肥機（３６）の下側の掃除または残留肥料の取出し等の作業を行うもので、前記施肥機（３６）を持上げて行う掃除または残留肥料取出しなどの作業性向上を容易に行い得るものである。
【図面の簡単な説明】
【図１】リヤアクスルケース部の側面図。
【図２】全体の側面図。
【図３】同平面図。
【図４】走行車の側面図。
【図５】同平面図。
【図６】施肥機部の背面図。
【図７】ベースフレーム部の側面図。
【図８】同背面図。
【図９】同平面図。
【図１０】図８の拡大図。
【図１１】施肥機の側面図。
【図１２】繰出ケース部の側面図。
【図１３】同背面図。
【図１４】図１２の拡大図。
【図１５】繰出ケース部の平面図。
【図１６】施肥機駆動部の側面図。
【図１７】施肥機の昇降説明図。
【符号の説明】
（１）    走行車
（３）    車体フレーム
（７）    リヤアクスルケース
（８）    後輪
（１２）  車体カバー
（１５）  植付部
（３６）  施肥機
（４６）  タンク
（４７）  繰出ケース
（４９）  肥料送出パイプ
（５０）  送風ファン
（５１）  施肥本体フレーム
（５７）  ガススプリング（上昇部材）
【図１】
0003811195.tif 000002
【図２】
0003811195.tif 000003
【図３】
0003811195.tif 000004
【図４】
0003811195.tif 000005
【図５】
0003811195.tif 000006
【図６】
0003811195.tif 000007
【図７】
0003811195.tif 000008
【図８】
0003811195.tif 000009
【図９】
0003811195.tif 000010
【図１０】
0003811195.tif 000011
【図１１】
0003811195.tif 000012
【図１２】
0003811195.tif 000013
【図１３】
0003811195.tif 000014
【図１４】
0003811195.tif 000015
【図１５】
0003811195.tif 000016
【図１６】
0003811195.tif 000017
【図１７】
0003811195.tif 000018